(57)【要約】【課題】  ＩＰ（インターネットプロトコル）ベースの伝送システムにおいて、送信側で複数のＡＴＭセルデータをカプセル化し、受信側でカプセル化されたデータからＡＴＭセルを復元することにより、データの転送効率をアップする。【解決手段】  ＡＤＳＬ回線で接続されたＡＴＵ−ＲとＤＳＬＡＭとを含むＡＤＳＬ伝送システムにおいて、ＡＴＵ−Ｒ及びＤＳＬＡＭのいずれか一方が、複数のＡＴＭセルのヘッダーを削除し、前記ヘッダーを削除した複数のＡＴＭセルを１つのフレームのカプセル化データに変換して他方に送信し、受信した他方の側で、前記カプセル化データから前記複数のＡＴＭセルを復元する。  また、前記複数のＡＴＭセルを前記カプセル化データに変換する際、前記複数のＡＴＭセルのヘッダーと前記カプセル化データのヘッダーとのヘッダー番号の対応を示すヘッダーテーブル情報を予め設定しておく。【選択図】        図１
2006203268.tif 000002
【特許請求の範囲】
【請求項１】
第１通信装置と、
前記第１通信装置とＡＤＳＬ回線を用いて通信する第２通信装置と
を具備し、
前記第１通信装置は、第１ＡＴＭセルデータと第２ＡＴＭセルデータとを１つのフレームのカプセル化データに変換して前記第２通信装置に送信し、
前記第２通信装置は、前記カプセル化データから前記第１ＡＴＭセルデータ及び前記第２ＡＴＭセルデータを復元する
ＡＤＳＬ伝送システム。
【請求項２】
請求項１に記載のＡＤＳＬ伝送システムにおいて、
前記第１ＡＴＭセルデータ及び前記第２ＡＴＭセルデータはヘッダーとペイロードを有し、
前記第１通信装置は、前記第２ＡＴＭセルデータのペイロードを取得し、前記第１ＡＴＭセルデータのヘッダー及びペイロードと前記第２ＡＴＭセルデータのペイロードとを前記カプセル化データに変換する
ＡＤＳＬ伝送システム。
【請求項３】
請求項２に記載のＡＤＳＬ伝送システムにおいて、
前記第２通信装置は、前記カプセル化データから前記第１ＡＴＭセルデータ及び前記第２ＡＴＭセルデータを復元する際、前記第１ＡＴＭセルデータのヘッダーをコピーし、前記コピーしたヘッダーを前記第２ＡＴＭセルデータのペイロードに付加する
ＡＤＳＬ伝送システム。
【請求項４】
請求項１に記載のＡＤＳＬ伝送システムにおいて、
前記第１ＡＴＭセルデータ及び前記第２ＡＴＭセルデータはヘッダーとペイロードを有し、
前記第１通信装置及び前記第２通信装置は、前記第１ＡＴＭセルデータのヘッダー及び前記第２ＡＴＭセルデータのヘッダーと前記カプセル化データのヘッダーとのヘッダー番号の対応を示すヘッダーテーブル情報を有する
ＡＤＳＬ伝送システム。
【請求項５】
請求項４に記載のＡＤＳＬ伝送システムにおいて、
前記第１通信装置は、前記第１ＡＴＭセルデータのペイロード及び前記第２ＡＴＭセルデータのペイロードを取得し、前記ヘッダーテーブル情報が有する前記カプセル化データのヘッダーと前記第１ＡＴＭセルデータのペイロード及び第２ＡＴＭセルデータのペイロードとを前記カプセル化データに変換する
ＡＤＳＬ伝送システム。
【請求項６】
第１ＡＴＭセルデータと第２ＡＴＭセルデータとを１つのフレームのカプセル化データに変換するカプセリング化部と、
前記カプセル化データを示す電気信号からアナログ信号に変換するＡＤＳＬ送受信部と
を具備する
通信装置。
【請求項７】
請求項６に記載の通信装置において、
前記第１ＡＴＭセルデータ及び前記第２ＡＴＭセルデータはヘッダーとペイロードを有し、
前記カプセリング化部は、前記第２ＡＴＭセルデータのペイロードを取得し、前記第１ＡＴＭセルデータと前記ペイロードとを前記カプセル化データに変換する
通信装置。
【請求項８】
請求項７に記載の通信装置において、
前記カプセリング化部は、前記カプセル化データから前記第１ＡＴＭセルデータ及び前記第２ＡＴＭセルデータを復元する際、前記第１ＡＴＭセルデータのヘッダーをコピーし、前記コピーしたヘッダーを前記ペイロードに付加する
通信装置。
【請求項９】
請求項６に記載の通信装置において、
前記第１ＡＴＭセルデータ及び前記第２ＡＴＭセルデータはヘッダーとペイロードを有し、
前記カプセリング化部は、前記第１ＡＴＭセルデータのヘッダー及び前記第２ＡＴＭセルデータのヘッダーと前記カプセル化データのヘッダーとのヘッダー番号の対応を示すヘッダーテーブル情報を有する
通信装置。
【請求項１０】
請求項９に記載の通信装置において、
前記カプセリング化部は、前記第１ＡＴＭセルデータのペイロード及び前記第２ＡＴＭセルデータのペイロードを取得し、前記ヘッダーテーブル情報が有する前記カプセル化データのヘッダーと前記第１ＡＴＭセルデータのペイロード及び第２ＡＴＭセルデータのペイロードとを前記カプセル化データに変換する
通信装置。
【請求項１１】
請求項６乃至１０のいずれか一項に記載の通信装置において、
前記ＡＤＳＬ送受信部は、ＡＤＳＬ回線を介して前記アナログ信号を受信し、前記アナログ信号を前記カプセル化データを示す電気信号に変換し、
前記カプセリング化部は、前記カプセル化データから前記第１ＡＴＭセルデータ及び第２ＡＴＭセルデータを復元する
通信装置。
【請求項１２】
第１ＡＴＭセルデータと第２ＡＴＭセルデータとを１つのフレームのカプセル化データに変換するステップと、
前記カプセル化データを示す電気信号からアナログ信号に変換し、ＡＤＳＬ回線を介して送信するステップと
を具備する
ＡＤＳＬ伝送方法。
【請求項１３】
請求項１２に記載のＡＤＳＬ伝送方法において、
前記第１ＡＴＭセルデータ及び前記第２ＡＴＭセルデータはヘッダーとペイロードを有しており、前記第２ＡＴＭセルデータのペイロードを取得し、前記第１ＡＴＭセルデータと前記ペイロードとを前記カプセル化データに変換するステップを具備する
ＡＤＳＬ伝送方法。
【請求項１４】
請求項１３に記載のＡＤＳＬ伝送方法において、
前記カプセル化データから前記第１ＡＴＭセルデータ及び前記第２ＡＴＭセルデータを復元する際、前記第１ＡＴＭセルデータのヘッダーをコピーし、前記コピーしたヘッダーを前記ペイロードに付加するステップを具備する
ＡＤＳＬ伝送方法。
【請求項１５】
請求項１２に記載のＡＤＳＬ伝送方法において、
前記第１ＡＴＭセルデータ及び前記第２ＡＴＭセルデータはヘッダーとペイロードを有しており、前記第１ＡＴＭセルデータのヘッダー及び前記第２ＡＴＭセルデータのヘッダーと前記カプセル化データのヘッダーとのヘッダー番号の対応を示すヘッダーテーブル情報を有する
ＡＤＳＬ伝送方法。
【請求項１６】
請求項１５に記載のＡＤＳＬ伝送方法において、
前記カプセリング化部は、前記第１ＡＴＭセルデータのペイロード及び前記第２ＡＴＭセルデータのペイロードを取得し、前記ヘッダーテーブル情報が有する前記カプセル化データのヘッダーと前記第１ＡＴＭセルデータのペイロード及び第２ＡＴＭセルデータのペイロードとを前記カプセル化データに変換するステップを具備する
ＡＤＳＬ伝送方法。
【請求項１７】
請求項１２乃至１６のいずれか一項に記載のＡＤＳＬ伝送方法において、
前記ＡＤＳＬ回線を介して前記アナログ信号を受信し、前記アナログ信号を前記カプセル化データを示す電気信号に変換するステップと、
前記カプセル化データから前記第１ＡＴＭセルデータ及び第２ＡＴＭセルデータを復元するステップと
を具備する
ＡＤＳＬ伝送方法。
【請求項１８】
第１通信装置は、第１ＡＴＭセルデータと第２ＡＴＭセルデータとを１つのフレームのカプセル化データに変換して前記第２通信装置にＡＤＳＬ回線を介して送信するステップと、
前記第２通信装置は、前記カプセル化データから前記第１ＡＴＭセルデータ及び前記第２ＡＴＭセルデータを復元するステップと
を具備する
ＡＤＳＬ伝送方法。
【請求項１９】
請求項１８に記載のＡＤＳＬ伝送方法において、
前記第１ＡＴＭセルデータ及び前記第２ＡＴＭセルデータはヘッダーとペイロードを有しており、前記第１通信装置は、前記第２ＡＴＭセルデータのペイロードを取得し、前記第１ＡＴＭセルデータと前記ペイロードとを前記カプセル化データに変換するステップを具備する
ＡＤＳＬ伝送方法。
【請求項２０】
請求項１９に記載のＡＤＳＬ伝送方法において、
前記第２通信装置は、前記カプセル化データから前記第１ＡＴＭセルデータ及び前記第２ＡＴＭセルデータを復元する際、前記第１ＡＴＭセルデータのヘッダーをコピーし、前記コピーしたヘッダーを前記ペイロードに付加するステップを具備する
ＡＤＳＬ伝送方法。
【請求項２１】
請求項１８に記載のＡＤＳＬ伝送方法において、
前記第１ＡＴＭセルデータ及び前記第２ＡＴＭセルデータはヘッダーとペイロードを有しており、前記第１通信装置及び前記第２通信装置は、前記第１ＡＴＭセルデータのヘッダー及び前記第２ＡＴＭセルデータのヘッダーと前記カプセル化データのヘッダーとのヘッダー番号の対応を示すヘッダーテーブル情報を有する
ＡＤＳＬ伝送方法。
【請求項２２】
請求項２１に記載のＡＤＳＬ伝送方法において、
前記第１通信装置は、前記第１ＡＴＭセルデータのペイロード及び前記第２ＡＴＭセルデータのペイロードを取得し、前記ヘッダーテーブル情報が有する前記カプセル化データのヘッダーと前記第１ＡＴＭセルデータのペイロード及び第２ＡＴＭセルデータのペイロードとを前記カプセル化データに変換するステップを具備する
ＡＤＳＬ伝送方法。
【発明の詳細な説明】
【技術分野】
【０００１】
本発明は、ＡＤＳＬ伝送システムに関する。
【背景技術】
【０００２】
ＡＴＵ−Ｒ（ＡＤＳＬ  Ｔｒａｎｓｃｅｉｖｅｒ  Ｕｎｉｔ，  Ｒｅｍｏｔｅ  ｔｅｒｍｉｎａｌ  ｅｎｄ）は、ＡＤＳＬ回線網を構成する装置のうち、加入者側に設置されるＡＤＳＬモデムを指す。
ＤＳＬＡＭ（Ｄｉｇｉｔａｌ  Ｓｕｂｓｃｒｉｂｅｒ  Ｌｉｎｅ  Ａｃｃｅｓｓ  Ｍｕｌｔｉｐｌｅｘｅｒ）は、複数のｘＤＳＬ回線を束ね、ルータといった通信機器と接続して高速・大容量な基幹回線（バックボーン）への橋渡しを行う集線装置である。
【０００３】
近年ＡＴＵ−ＲとＤＳＬＡＭ間のＡＤＳＬ回線における物理速度の高速化が１．５Ｍ、８Ｍ、１２Ｍ、２０Ｍ、４０Ｍと進められているが、従来のＡＤＳＬ伝送システムでは物理速度に対して実際にデータ通信を行う時のスループットが悪いといった問題点を抱えている。
これは、従来のＡＤＳＬ伝送システムでは、ＩＰベースのパケットデータをＡＴＭベースのセルデータに変換を行っており、このカプセル化の過程で変換損失が生じているため、いくらＡＤＳＬの物理速度の高速化を実施しても実際のスループットは、物理速度以下になるといった論理的な課題があったためである。
【０００４】
従来技術として、論理回線を特定するヘッダ部と、該論理回線を介して伝送すべきデータを特定するペイロード部とから成るセルを順次伝送する通信路に介挿される通信装置が知られている（特許文献１参照）。
この通信装置は、前記セルを複数結合して成るビット列を所定長単位で分割して部分ビット列を生成し、これら部分ビット列に各々所定の識別情報を付加して成るフレームを生成する。これらフレームを順次出力する送信装置と、前記各フレームを受信すると、これらのフレームから前記各セルを再生する受信装置とを具備する。
【０００５】
第１のＡＴＭスイッチから第２のＡＴＭスイッチへ至るＡＴＭデータ伝送路におけるデータの伝送効率を改善するためのＡＴＭデータ伝送路の伝送効率改善装置がある（特許文献２参照）。
この装置は、前記第１のＡＴＭスイッチと前記伝送路との間に介挿される第１の変換器と、前記第２のＡＴＭスイッチと前記伝送路との間に介挿される第２の変換器とを備える。前記第１の変換器は、前記第１のＡＴＭスイッチから伝送されてくるセルのうち、同一のセルヘッダを有する複数ｎ個のセルを一時的に蓄積し、この蓄積したｎ個のセルのうち、第２番目〜第ｎ番目のセルまでのセルヘッダを除去した後、第１番目のセルから第ｎ番目のセルまでを連続的に前記伝送路へと転送する機能を有する。前記第２の変換器は、前記伝送路を介して前記第２番目〜第ｎ番目のセルが伝送されてきた時に、除去されたセルヘッダを復元してから前記第２のＡＴＭスイッチへ転送する機能を有する。
【０００６】
【特許文献１】特開平８−３２５９３号公報
【特許文献２】特開平１１−６８７９１号公報
【発明の開示】
【発明が解決しようとする課題】
【０００７】
本発明の目的は、電話回線を利用して高速のデータ通信を行うＩＰ（インターネットプロトコル）ベースの伝送システムにおいて送信側で複数のＡＴＭセルデータをカプセル化し、受信側でカプセル化されたデータからＡＴＭセルを復元することにより、データの転送効率をアップするＡＤＳＬ伝送システムを提供することである。
【課題を解決するための手段】
【０００８】
以下に、［発明を実施するための最良の形態］で使用される番号を括弧付きで用いて、課題を解決するための手段を説明する。これらの番号は、［特許請求の範囲］の記載と［発明を実施するための最良の形態］との対応関係を明らかにするために付加されたものである。但し、それらの番号を、［特許請求の範囲］に記載されている発明の技術的範囲の解釈に用いてはならない。  
【０００９】
本発明のＡＤＳＬ伝送システムは、第１通信装置（２，３）と、前記第１通信装置（２，３）とＡＤＳＬ回線を用いて通信する第２通信装置（３，２）とを具備する。前記第１通信装置（２，３）は、第１ＡＴＭセルデータと第２ＡＴＭセルデータとを１つのフレームのカプセル化データに変換して前記第２通信装置（３，２）に送信し、前記第２通信装置（３，２）は、前記カプセル化データから前記第１ＡＴＭセルデータ及び前記第２ＡＴＭセルデータを復元する。
【００１０】
本発明のＡＤＳＬ伝送システムにおいて、前記第１ＡＴＭセルデータ及び前記第２ＡＴＭセルデータはヘッダーとペイロードを有し、前記第１通信装置（２，３）は、前記第２ＡＴＭセルデータのペイロードを取得し、前記第１ＡＴＭセルデータのヘッダー及びペイロードと前記第２ＡＴＭセルデータのペイロードとを前記カプセル化データに変換する。
【００１１】
本発明のＡＤＳＬ伝送システムにおいて、前記第２通信装置（３，２）は、前記カプセル化データから前記第１ＡＴＭセルデータ及び前記第２ＡＴＭセルデータを復元する際、前記第１ＡＴＭセルデータのヘッダーをコピーし、前記コピーしたヘッダーを前記第２ＡＴＭセルデータのペイロードに付加する。
【００１２】
本発明のＡＤＳＬ伝送システムにおいて、前記第１ＡＴＭセルデータ及び前記第２ＡＴＭセルデータはヘッダーとペイロードを有し、前記第１通信装置（２，３）及び前記第２通信装置（３，２）は、前記第１ＡＴＭセルデータのヘッダー及び前記第２ＡＴＭセルデータのヘッダーと前記カプセル化データのヘッダーとのヘッダー番号の対応を示すヘッダーテーブル情報を有する。
【００１３】
本発明のＡＤＳＬ伝送システムにおいて、前記第１通信装置（２，３）は、前記第１ＡＴＭセルデータのペイロード及び前記第２ＡＴＭセルデータのペイロードを取得し、前記ヘッダーテーブル情報が有する前記カプセル化データのヘッダーと前記第１ＡＴＭセルデータのペイロード及び第２ＡＴＭセルデータのペイロードとを前記カプセル化データに変換する。
【００１４】
本発明の通信装置（９，１４）は、第１ＡＴＭセルデータと第２ＡＴＭセルデータとを１つのフレームのカプセル化データに変換するカプセリング化部（１２，１６）と、前記カプセル化データを示す電気信号からアナログ信号に変換するＡＤＳＬ送受信部（１３，１５）とを具備する。
【００１５】
本発明の通信装置（９，１４）において、前記第１ＡＴＭセルデータ及び前記第２ＡＴＭセルデータはヘッダーとペイロードを有し、前記カプセリング化部（１２，１６）は、前記第２ＡＴＭセルデータのペイロードを取得し、前記第１ＡＴＭセルデータと前記ペイロードとを前記カプセル化データに変換する。
【００１６】
本発明の通信装置（９，１４）において、前記カプセリング化部（１２，１６）は、前記カプセル化データから前記第１ＡＴＭセルデータ及び前記第２ＡＴＭセルデータを復元する際、前記第１ＡＴＭセルデータのヘッダーをコピーし、前記コピーしたヘッダーを前記ペイロードに付加する。
【００１７】
本発明の他の通信装置（９，１４）において、前記第１ＡＴＭセルデータ及び前記第２ＡＴＭセルデータはヘッダーとペイロードを有し、前記カプセリング化部（１２，１６）は、前記第１ＡＴＭセルデータのヘッダー及び前記第２ＡＴＭセルデータのヘッダーと前記カプセル化データのヘッダーとのヘッダー番号の対応を示すヘッダーテーブル情報を有する。
【００１８】
本発明の他の通信装置（９，１４）において、前記カプセリング化部（１２，１６）は、前記第１ＡＴＭセルデータのペイロード及び前記第２ＡＴＭセルデータのペイロードを取得し、前記ヘッダーテーブル情報が有する前記カプセル化データのヘッダーと前記第１ＡＴＭセルデータのペイロード及び第２ＡＴＭセルデータのペイロードとを前記カプセル化データに変換する。
【００１９】
前記ＡＤＳＬ送受信部（１３，１５）は、ＡＤＳＬ回線を介して前記アナログ信号を受信し、前記アナログ信号を前記カプセル化データを示す電気信号に変換し、
前記カプセリング化部（１２，１６）は、前記カプセル化データから前記第１ＡＴＭセルデータ及び第２ＡＴＭセルデータを復元する。
【００２０】
本発明のＡＤＳＬ伝送方法は、前記第１ＡＴＭセルデータ及び前記第２ＡＴＭセルデータがヘッダーとペイロードを有しており、第１ＡＴＭセルデータと第２ＡＴＭセルデータとを１つのフレームのカプセル化データに変換するステップと、前記カプセル化データを示す電気信号からアナログ信号に変換し、ＡＤＳＬ回線を介して送信するステップとを具備する。
【００２１】
本発明のＡＤＳＬ伝送方法は、前記第２ＡＴＭセルデータのペイロードを取得し、前記第１ＡＴＭセルデータと前記ペイロードとを前記カプセル化データに変換するステップを具備する。
【００２２】
本発明のＡＤＳＬ伝送方法は、前記カプセル化データから前記第１ＡＴＭセルデータ及び前記第２ＡＴＭセルデータを復元する際、前記第１ＡＴＭセルデータのヘッダーをコピーし、前記コピーしたヘッダーを前記ペイロードに付加するステップを具備する。
【００２３】
本発明のＡＤＳＬ伝送方法は、前記第１ＡＴＭセルデータ及び前記第２ＡＴＭセルデータがヘッダーとペイロードを有しており、前記第１ＡＴＭセルデータのヘッダー及び前記第２ＡＴＭセルデータのヘッダーと前記カプセル化データのヘッダーとのヘッダー番号の対応を示すヘッダーテーブル情報を有する。
【００２４】
本発明のＡＤＳＬ伝送方法において、前記第１ＡＴＭセルデータのペイロード及び前記第２ＡＴＭセルデータのペイロードを取得し、前記ヘッダーテーブル情報が有する前記カプセル化データのヘッダーと前記第１ＡＴＭセルデータのペイロード及び第２ＡＴＭセルデータのペイロードとを前記カプセル化データに変換するステップを具備する。
【００２５】
本発明のＡＤＳＬ伝送方法は、前記ＡＤＳＬ回線を介して前記アナログ信号を受信し、前記アナログ信号を前記カプセル化データを示す電気信号に変換するステップと、前記カプセル化データから前記第１ＡＴＭセルデータ及び第２ＡＴＭセルデータを復元するステップとを具備する。
【００２６】
本発明のＡＤＳＬ伝送方法は、第１通信装置（２，３）が第１ＡＴＭセルデータと第２ＡＴＭセルデータとを１つのフレームのカプセル化データに変換して前記第２通信装置（３，２）にＡＤＳＬ回線を介して送信するステップと、前記第２通信装置（３，２）が前記カプセル化データから前記第１ＡＴＭセルデータ及び前記第２ＡＴＭセルデータを復元するステップと
を具備する。
【００２７】
本発明のＡＤＳＬ伝送方法は、前記第１ＡＴＭセルデータ及び前記第２ＡＴＭセルデータがヘッダーとペイロードを有しており、前記第１通信装置（２，３）が前記第２ＡＴＭセルデータのペイロードを取得し、前記第１ＡＴＭセルデータと前記ペイロードとを前記カプセル化データに変換するステップを具備する。
【００２８】
本発明のＡＤＳＬ伝送方法は、前記第２通信装置（３，２）が前記カプセル化データから前記第１ＡＴＭセルデータ及び前記第２ＡＴＭセルデータを復元する際、前記第１ＡＴＭセルデータのヘッダーをコピーし、前記コピーしたヘッダーを前記ペイロードに付加するステップを具備する。
【００２９】
本発明のＡＤＳＬ伝送方法は、前記第１ＡＴＭセルデータ及び前記第２ＡＴＭセルデータがヘッダーとペイロードを有しており、前記第１通信装置（２，３）及び前記第２通信装置（３，２）が前記第１ＡＴＭセルデータのヘッダー及び前記第２ＡＴＭセルデータのヘッダーと前記カプセル化データのヘッダーとのヘッダー番号の対応を示すヘッダーテーブル情報を有する。
【００３０】
本発明のＡＤＳＬ伝送方法は、前記第１通信装置（２，３）が前記前記第１ＡＴＭセルデータのペイロード及び前記第２ＡＴＭセルデータのペイロードを取得し、前記ヘッダーテーブル情報が有する前記カプセル化データのヘッダーと前記第１ＡＴＭセルデータのペイロード及び第２ＡＴＭセルデータのペイロードとを前記カプセル化データに変換するステップを具備する。
【発明の効果】
【００３１】
第１の効果はカプセリング化部１２において複数のＡＴＭセルの下りデータのヘッダー部分を削除し１つのフレームのカプセル化データに変換し、カプセリング化部１６でカプセル化データから複数のＡＴＭセルデータを復元を行うことで、ＤＳＬＡＭ９とＡＴＵ−Ｒ１４を接続している電話回線（ＡＤＳＬ）の下りデータの転送効率のアップを可能としていることである。
第２の効果はカプセリング化部１６において複数のＡＴＭセルの上りデータのヘッダー部分を削除し１つのフレームのカプセル化データに変換し、カプセリング化部１２でカプセル化データから複数のＡＴＭセルデータを復元を行うことで、ＤＳＬＡＭ９とＡＴＵ−Ｒ１４を接続している電話回線（ＡＤＳＬ）の上りデータの転送効率のアップを可能としていることである。
第３の効果は複数のＡＴＭセルデータを１つフレームのカプセル化データに変換にする場合のＡＴＭセルデータ数が多ければ多いほど転送効率比をアップすることが可能であることである。例えば、転送率のアップの比は、２個のセルデータ（５３Ｂｙｔｅ×２＝１０６Ｂｙｔｅ）を１つのカプセル化データ（５Ｂｙｔｅ＋４８Ｂｙｔｅ×２＝１０１Ｂｙｔｅ）に変換した場合で、約５％（１０６／１０１＝約１．０５）アップに対して５０個のセルデータ（５３Ｂｙｔｅ×５０＝２６５０Ｂｙｔｅ）を１つのカプセル化データ（５Ｂｙｔｅ＋４８Ｂｙｔｅ×５０＝２４０５Ｂｙｔｅ）に変換した場合で、約１０％（２６５０／２４０５＝約１．１０）アップする。
【発明を実施するための最良の形態】
【００３２】
以下に本発明の第１実施形態について添付図面を参照して説明する。
図１に本発明によるシステムのプロトコルスタックを示し、図２に従来のシステムのプロトコルスタックの一例を示す。
図１に示すように、本発明は、ＰＣ（パーソナルコンピュータ）１、ＡＴＵ−Ｒ（非対称デジタル加入者線終端装置リモート）２、ＤＳＬＡＭ（デジタル加入者線アクセスマルチプレクサ）３、ＡＴＭ−ＳＷ／ＢＡＳ（ブロードバンドアクセスサーバー）４を含むシステムにおいて用いることが可能である。但し、実際には、本発明の実施例は前記のシステムに限定されるものではない。
図２は、ＰＣ５、ＡＴＵ−Ｒ６、ＤＳＬＡＭ７、ＡＴＭ−ＳＷ／ＢＡＳ８を含む従来のシステムのプロトコルスタックである。
従来は、図２に示すＰＰＰｏＥをベースとするプロトコルスタックが一般的であり、ＩＰ（インターネットプロトコル）ベースのパケットデータをＡＴＭベースのセルデータに変換を行うため、このカプセル化の過程で変換損失が生じるといった問題がある。
本発明によるＡＤＳＬ伝送システムは、電話回線を利用して高速のデータ通信を行うＩＰベースの伝送システムにおいて送信側で複数のＡＴＭセルデータをカプセル化し、受信側でカプセル化されたデータからＡＴＭセルを復元することにより、データの転送効率をアップするという効果を得ることが可能である。
【００３３】
本発明のＡＤＳＬ伝送システムの構成について図に沿って説明する。
図３に本発明によるＡＤＳＬ伝送システムの構成を示す。
ＡＤＳＬ伝送システムは、ＤＳＬＡＭ９、ＡＴＵ−Ｒ１４を備える。ここで、ＤＳＬＡＭ９は図１のＤＳＬＡＭ３に対応し、ＡＴＵ−Ｒ１４は図１のＡＴＵ−Ｒ２に対応する。
ＤＳＬＡＭ９は、Ｏ／Ｅ変換部１０、ＡＴＭ処理部１１、カプセリング化部１２、ＡＤＳＬ送受信部１３を備える。
ＡＴＵ−Ｒ１４は、ＡＤＳＬ送受信部１５、カプセリング化部１６、ルーティング処理部１７、端末側送受信部１８を備える。
ＤＳＬＡＭ９とＡＴＵ−Ｒ１４の間、ＡＤＳＬ送受信部１３とＡＤＳＬ送受信部１５とは、電話回線（ＡＤＳＬ）１９を介して接続される。
【００３４】
Ｏ／Ｅ変換部１０は、光信号を電気信号に変換、及びその逆を行う。ＡＴＭ処理部１１は、主信号であるＡＴＭセルの処理を行う。カプセリング化部１２は、複数のＡＴＭセルの下りデータのヘッダー部分を削除し１つのフレームにカプセル化し、また、その逆のカプセル化された上りデータから複数のＡＴＭセルデータを復元する。ＡＤＳＬ送受信部１３は、フレーム変換及び、電気信号をアナログ信号に変換及びその逆の変換を行う。
【００３５】
ＡＤＳＬ送受信部１５は、フレーム変換及び、電気信号をアナログ信号に変換及びその逆の変換を行う。カプセリング化部１６は、複数のＡＴＭセルの上りデータのヘッダー部分を削除し１つのフレームにカプセル化し、また、その逆のカプセル化された下りデータから複数のＡＴＭセルデータを復元する。ルーティング処理部１７は、データのルーティング処理を行う。端末側送受信部１８は、ＰＣを始めとする外部の端末と通信する。
【００３６】
図３においてカプセリング化部１２は、複数のＡＴＭセルの下りデータのヘッダー部分を削除し１つのフレームにカプセル化を行い、カプセリング化部１６は、カプセル化された下りデータから複数のＡＴＭセルデータを復元する。同様にカプセリング化部１６は、複数のＡＴＭセルの上りデータのヘッダー部分を削除し１つのフレームにカプセル化を行い、カプセリング化部１２は、カプセル化された上りデータから複数のＡＴＭセルデータを復元する。
このようにして、本発明では、電話回線で接続されたＤＳＬＡＭとＡＴＵ−Ｒで送受信データのカプセル化と復元を行うことで、送受信データの効率化を実施し、従来のＡＤＳＬ回線上の同一物理速度で、従来以上のスループットを可能にするといった効果を得ることができる。
【００３７】
図４に本発明のＡＤＳＬ伝送システムの実施例の構成を示す。
ＡＤＳＬ伝送システムは、ＢＡＳ（ブロードバンドアクセスサーバー）２０、ＤＳＬＡＭ２１、ＡＴＵ−Ｒ２２、ＰＣ２３を備える。ここで、ＢＡＳ２０は図１のＡＴＭ−ＳＷ／ＢＡＳ４に対応し、ＤＳＬＡＭ２１は図１のＤＳＬＡＭ３に対応し、ＡＴＵ−Ｒ２２は図１のＡＴＵ−Ｒ２に対応し、ＰＣ２３は図１のＰＣ１に対応する。
図４に示す本発明の電話回線を利用して高速のデータ通信を行うＩＰ（インターネットプロトコル）ベースの伝送システムにおいてＰＣ２３は、ＡＴＵ−Ｒ（非対称デジタル加入者線終端装置リモート）２２とＥｔｈｅｒｎｅｔ（イーサネット）２６により接続され、ＡＴＵ−Ｒ２２は、ＤＳＬＡＭ（デジタル加入者線アクセスマルチプレクサ）２１と電話回線（ＡＤＳＬ）２５により接続され、ＤＳＬＡＭ２１はＢＡＳ（ブロードバンドアクセスサーバー）２０とＯＣ−３（ＯＰＴＩＣＡＬ  ＣＡＲＲＩＥＲ  ＬＥＶＥＬ  ３）２４で接続され、インターネットサービスを実現する。
【００３８】
本発明のＡＤＳＬ伝送システムでは、ＡＴＵ−Ｒ２２とＤＳＬＡＭ２１間のデータ通信において、送信側で複数のＡＴＭセルデータのヘッダー部分を削除し１つのフレームにカプセル化を行い、受信側でカプセル化されたデータから複数のＡＴＭセルデータを復元することにより電話回線（ＡＤＳＬ）２５の上でのデータ転送効率をアップさせシステムとしてスループットをアップさせることを可能とする。
【００３９】
次に、本発明のＡＤＳＬ伝送システムの動作について説明する。
図４においてインターネットを始めとするサービスを電話回線を利用し高速なデータ通信にて提供するＡＤＳＬ伝送システムでは、電話回線をＡＴＵ−ＲとＤＳＬＡＭにて接続し高速なデータ通信を行う。
【００４０】
図５に、ＤＳＬＡＭ９からＡＴＵ−Ｒ１４に通信する場合の動作を示す。
ＤＳＬＡＭ９のＯ／Ｅ変換部１０は、光信号を電気信号に変換する（ステップＳ１０１）。この光信号は、図４において、ＢＡＳ２０からＤＳＬＡＭ２１へＯＣ−３に従って送信されたものである。また、この動作は、図１のＤＳＬＡＭ３において、プロトコルスタックのＳＴＭ−１／ＯＣ−３の層で行われる。
ＡＴＭ処理部１１は、変換された電気信号に対してＡＴＭセルの処理を行う（ステップＳ１０２）。この動作は、図１のＤＳＬＡＭ３において、プロトコルスタックのＡＴＭの層で行われる。
カプセリング化部１２は、複数のＡＴＭセルの下りデータのヘッダー部分を削除し１つのフレームにカプセル化を行う（ステップＳ１０３）。
ＡＤＳＬ送受信部１３は、電気信号をアナログ信号に変換し、ＡＴＵ−Ｒ１４のＡＤＳＬ送受信部１５に送信する（ステップＳ１０４）。
ＡＴＵ−Ｒ１４のＡＤＳＬ送受信部１５は、アナログ信号を電気信号に変換する（ステップＳ１０５）。
カプセリング化部１６は、カプセル化されたデータから複数のＡＴＭセルデータを復元する（ステップＳ１０６）。
ルーティング処理部１７は、データのルーティング処理を行う（ステップＳ１０７）。この動作は、図１のＡＴＵ−Ｒ２において、プロトコルスタックのＡＴＭ、ＡＡＬ５、ＬＬＣ、ＭＡＣの層で行われる。ＭＡＣの上位の層で行われる場合もある。なお、ルーティングの他、ブリッジング（スイッチング）を行うこともあり、ＭＡＣと他のＭＡＣとの間でブリッジ接続を行うこともある。
端末側送受信部１８は、ＰＣを始めとする外部の端末と通信する（ステップＳ１０８）。この動作は、図１のＡＴＵ−Ｒ２とＰＣ１との間で行われる。また、図４ではＡＴＵ−Ｒ２２とＰＣ２３の間で行われる。ここでは、Ｅｔｈｅｒｎｅｔ２６を介して通信を行う。
【００４１】
図６に、図５とは逆にＡＴＵ−Ｒ１４からＤＳＬＡＭ９に通信する場合の動作を示す。
ＡＴＵ−Ｒ１４の端末側送受信部１８は、ＰＣを始めとする外部の端末と通信する（ステップＳ２０１）。この動作は、図１のＰＣ１とＡＴＵ−Ｒ２との間で行われる。また、図４ではＰＣ２３とＡＴＵ−Ｒ２２の間で行われる。ここでは、Ｅｔｈｅｒｎｅｔ２６を介して通信を行う。
ルーティング処理部１７は、端末側送受信部１８で受信したデータのルーティング処理を行う（ステップＳ２０２）。この動作は、図１のＡＴＵ−Ｒ２において、プロトコルスタックのＭＡＣ、ＬＬＣ、ＡＡＬ５、ＡＴＭの層で行われる。ＭＡＣの上位の層で行われる場合もある。なお、ルーティングの他、ブリッジング（スイッチング）を行うこともあり、ＭＡＣと他のＭＡＣとの間でブリッジ接続を行うこともある。
カプセリング化部１６は、複数のＡＴＭセルの下りデータのヘッダー部分を削除し１つのフレームにカプセル化を行う（ステップＳ２０３）。
ＡＤＳＬ送受信部１５は、電気信号をアナログ信号に変換し、ＤＳＬＡＭ９のＡＤＳＬ送受信部１３に送信する（ステップＳ２０４）。
ＤＳＬＡＭ９のＡＤＳＬ送受信部１３は、アナログ信号を電気信号に変換する（ステップＳ２０５）。
カプセリング化部１２は、カプセル化されたデータから複数のＡＴＭセルデータを復元する（ステップＳ２０６）。
ＡＴＭ処理部１１は、ＡＴＭセルでの処理を行う（ステップＳ２０７）。この動作は、図１のＤＳＬＡＭ３において、プロトコルスタックのＡＴＭの層で行われる。
Ｏ／Ｅ変換部１０は、電気信号を光信号に変換する（ステップＳ２０８）。この光信号は、図４において、ＤＳＬＡＭ２１からＢＡＳ２０へＯＣ−３に従って送信されるものである。また、この動作は、図１のＤＳＬＡＭ３において、プロトコルスタックのＳＴＭ−１／ＯＣ−３の層で行われる。
【００４２】
ここでＡＴＵ−ＲとＤＳＬＡＭ間の通信におけるＡＴＭ方式のフレームフォーマットに着目し、複数のＡＴＭセルデータのヘッダー部分を削除し１つのフレームにカプセル化することにより、転送効率をアップさせ高速なスループットを実現する。
動作の概要としては、図３におけるＤＳＬＡＭ９のカプセリング化部１２において、複数のＡＴＭセルの下りデータのヘッダー部分を削除し１つのフレームにカプセル化し、ＡＴＵ−Ｒ１４のカプセリング化部１６でカプセル化された下りデータから複数のＡＴＭセルデータを復元することにより、ＤＳＬＡＭ９とＡＴＵ−Ｒ１４を接続している電話回線（ＡＤＳＬ）の下り側のデータの転送効率のアップを可能とする。また同様にＡＴＵ―Ｒ１４のカプセリング化部１６において、複数のＡＴＭセルの上りデータのヘッダー部分を削除し１つのフレームにカプセル化し、ＤＳＬＡＭ９のカプセリング化部１２でカプセル化された上りデータから複数のＡＴＭセルデータを復元することにより、ＤＳＬＡＭ９とＡＴＵ−Ｒ１４を接続している電話回線（ＡＤＳＬ）の上り側データの転送効率のアップを可能とする。
【００４３】
次に、図３のカプセリング化部１２とカプセリング化部１６の動作の詳細について、図３、図７、図８、図９を使用して説明する。
図３のＤＳＬＡＭ９のカプセリング化部１２では、図７に示すＡＴＭセルフォーマットの下りデータを図８に示す２個目以降のセルヘッダを削除した１つのカプセル化データに変換してＡＤＳＬ送受信部１３にデータを送出し、ＡＤＳＬ送受信部１３は、ＡＴＵ−Ｒ１４に下りデータを送信する。
次に、ＤＳＬＡＭ９から下りデータを受信したＡＴＵ−Ｒ１４のカプセリング化部１６では、ＡＤＳＬ送受信部１５から送出される下りデータを受信し、図９に示すように受信したカプセル化データのセルヘッダ１をコピーして２個目以降のセルペイロード２の前にセルヘッダー２として付加し、カプセル化データからＡＴＭセルデータを復元してルーティン処理部１７にデータを送信する。
また、逆にＡＴＵ−Ｒ１４からＤＳＬＡＭ９に対して上りデータを送信する場合については、以上説明したようにＤＳＬＡＭ９からＡＴＵ−Ｒ１４に対して下りデータを送受信した時と逆の動作でデータの送受信を行う。
【００４４】
本発明の他の実施例として、その基本的構成は上記の通りであるが、カプセル化方法についてさらに工夫している。その概要を図１０、図１１、図１２に示す。図１０に示すように複数のＡＴＭセルの下りデータのヘッダー部分を削除し１つのフレームのカプセル化データに変換する時に、カプセル化データのヘッダー部分を全く別な任意のサイズ（５Ｂｙｔｅ以下）のヘッダーにすることでさらに転送効率をアップすることを可能としていることである。同様に図１１ではカプセル化データから複数のＡＴＭセルを復元する時のヘッダー部分を挿入する時のイメージ図を示し、同様に図１２には、本実施例の時の任意のサイズのヘッダーの一例を示す。これは、カプセル化を行う時に削除及び、挿入を行うセルヘッダーとカプセル化時に置き換えるヘッダーのヘッダー番号の対応をセルヘッダーテーブル情報として、予めＤＳＡＬＭとＡＴＵ−Ｒに記憶させておくことで、通常５Ｂｙｔｅのセルヘッダーを５Ｂｙｔｅ以下（例えば１Ｂｙｔｅ）に置き換え可能とすることを特徴としている。これにより、セルヘッダーとヘッダーのサイズ比に関しても転送効率をアップ可能にすることを可能としている。なお、セルヘッダーテーブル情報はカプセル化を行う時、及びカプセル化データから複数のＡＴＭセルを復元する時に使用されるため、図３のカプセリング化部１２、１６が有している。
また、他の実施例として、上記に関しては、ＤＳＬＡＭ９からＡＴＵ−Ｒ１４への下りデータに関して述べているが、同様に、ＡＴＵ−Ｒ１４からＤＳＬＡＭ９への上りデータに関しても、同様の方法で同一の効果を得ることが可能である。
【００４５】
本発明は、ｘＤＳＬ技術あるいは、他の技術を利用してインターネットサービスを提供するシステムに関して適用できる。
【図面の簡単な説明】
【００４６】
【図１】図１は、本発明のシステムのプロトコルスタックを示す図である。
【図２】図２は、従来のシステムのプロトコルスタックを示す図である。
【図３】図３は、本発明のＡＤＳＬ伝送システムの構成を示すブロック図である。
【図４】図４は、本発明のＡＤＳＬ伝送システムの実施例を示すブロック図である。
【図５】図５は、ＤＳＬＡＭからＡＴＵ−Ｒに通信する場合の動作を示すシーケンス図である。
【図６】図６は、ＡＴＵ−ＲからＤＳＬＡＭに通信する場合の動作を示すシーケンス図である。
【図７】図７は、ＡＴＭセルフォーマットを示す図である。
【図８】図８は、ＡＴＭセルデータをカプセル化したカプセル化データを示す第１の図である。
【図９】図９は、カプセル化データから復元されたＡＴＭセルデータを示す第１の図である。
【図１０】図１０は、ＡＴＭセルデータをカプセル化したカプセル化データを示す第２の図である。
【図１１】図１１は、カプセル化データから復元されたＡＴＭセルデータを示す第２の図である。
【図１２】図１２は、セルヘッダーテーブル情報を示す図である。
【符号の説明】
【００４７】
１…  ＰＣ（パーソナルコンピュータ）
２…  ＡＴＵ−Ｒ（非対称デジタル加入者線終端装置リモート）
３…  ＤＳＬＡＭ（デジタル加入者線アクセスマルチプレクサ）
４…  ＡＴＭ−ＳＷ／ＢＡＳ（ブロードバンドアクセスサーバー）
５…  ＰＣ
６…  ＡＴＵ−Ｒ
７…  ＤＳＬＡＭ
８…  ＡＴＭ−ＳＷ／ＢＡＳ
９…  ＤＳＬＡＭ
１０…  Ｏ／Ｅ変換部
１１…  ＡＴＭ処理部
１２…  カプセリング化部
１３…  ＡＤＳＬ送受信部
１４…  ＡＴＵ−Ｒ
１５…  ＡＤＳＬ送受信部
１６…  カプセリング化部
１７…  ルーティング処理部
１８…  端末側送受信部
１９…  電話回線（ＡＤＳＬ）
２０…  ＢＡＳ（ブロードバンドアクセスサーバー）
２１…  ＤＳＬＡＭ
２２…  ＡＴＵ−Ｒ
２３…  ＰＣ２３
２４…  ＯＣ−３（ＯＰＴＩＣＡＬ  ＣＡＲＲＩＥＲ  ＬＥＶＥＬ  ３）
２５…  電話回線（ＡＤＳＬ）
２６…  Ｅｔｈｅｒｎｅｔ（イーサネット）
【図１】
2006203268.tif 000003
【図２】
2006203268.tif 000004
【図３】
2006203268.tif 000005
【図４】
2006203268.tif 000006
【図５】
2006203268.tif 000007
【図６】
2006203268.tif 000008
【図７】
2006203268.tif 000009
【図８】
2006203268.tif 000010
【図９】
2006203268.tif 000011
【図１０】
2006203268.tif 000012
【図１１】
2006203268.tif 000013
【図１２】
2006203268.tif 000014